(57)【要約】      （修正有）【課題】塵埃、花粉等を吸着し、床面を清潔に保つものとして、浮遊物が正負のどちらに帯電しても吸着できる床材を提供する。【解決手段】床材１は、正負両極を有し正もしくは負のいずれかに帯電した浮遊物２を吸着する電磁吸着部２０と、電磁吸着部２０の上に積層される表面材３０とを備えている、あるいは、電磁吸着部２０の一部が表面材３０から露出するように設けられているようにしてもよい。さらに、電磁吸着部２０のオンオフを切り替えるスイッチ部を備える。【選択図】図１
2016130394.tif 000002
【特許請求の範囲】
【請求項１】
正負両極を有し正負いずれかに帯電した浮遊物を吸着する電磁吸着部と、該電磁吸着部の上に積層される表面材とを備えていることを特徴とする床材。
【請求項２】
請求項１において、
前記電磁吸着部の一部が、前記表面材から露出するように設けられていることを特徴とする床材。
【請求項３】
請求項１又は請求項２において、
前記電磁吸着部のオンオフを切り替えるスイッチ部をさらに備えていることを特徴とする床材。
【発明の詳細な説明】
【技術分野】
【０００１】
本発明は、床材に関する。
【背景技術】
【０００２】
従来、床面の埃、塵等を吸着し、床面を清潔に保つものとして、例えば下記特許文献１や下記特許文献２が挙げられる。
下記特許文献１には、静電気を有した下敷きを備えたカーペットが開示されており、カーペットの表面上に落下、集積する微細な塵埃を貫通孔を介して下敷の裏面側に静電気の力を利用して吸着することができるとされている。また下記特許文献２には、建物の床に多数の微小貫通孔が形成され、床の裏面に微小貫通孔と連通された吸込風路と、吸込風路の経路始端部に吸込手段とを備えた床面清掃装置が開示されている。
【先行技術文献】
【特許文献】
【０００３】
【特許文献１】実開昭５８−１７０８０号公報
【特許文献２】特開２００１−３７６８４号公報
【発明の概要】
【発明が解決しようとする課題】
【０００４】
しかしながら、上記特許文献１に記載されているカーペットの場合、静電気を利用して塵埃を吸着するものであるので、正負のいずれか様々に帯電した浮遊物を吸着することが難しい。上記特許文献２に記載されている床面清掃装置は、建物の床構造自体を上述のような構造する必要があり、大がかりになってしまう。
【０００５】
本発明は、このような事情を考慮して提案されたもので、その目的は、塵埃、花粉等の浮遊物が正負のどちらに帯電しても吸着できる床材を提供することにある。
【課題を解決するための手段】
【０００６】
上記目的を達成するために、本発明の床材は、正負両極を有し正もしくは負のいずれかに帯電した浮遊物を吸着する電磁吸着部と、該電磁吸着部の上に積層される表面材とを備えていることを特徴とする。
また本発明において、前記電磁吸着部の一部が、前記表面材から露出するように設けられているようにしてもよい。さらに本発明において、前記電磁吸着部のオンオフを切り替えるスイッチ部をさらに備えているものとしてもよい。
【発明の効果】
【０００７】
本発明の床材によれば、上述の構成となっているため、塵埃、花粉等の浮遊物が正負のどちらに帯電しても吸着できる。
【図面の簡単な説明】
【０００８】
【図１】本発明の一実施形態に係る床材の説明図である。（ａ）は同床材の一部概略断面図、（ｂ）は同床材の変形例を示す一部概略断面図である。
【図２】（ａ）は同床材を住宅等の玄関の床材として適用した例を示す模式的平面図、（ｂ）は同床材の一例を示す模式的平面図である。
【発明を実施するための形態】
【０００９】
以下に、本発明の床材に係る実施形態について、添付図面を参照しながら説明する。
本実施形態に係る床材１は、正負両極を有し正もしくは負のいずれかに帯電した浮遊物２を吸着する電磁吸着部２０と、電磁吸着部２０の上に積層される表面材３０とを備えている。床材１は、木質基材１０を備えており、図例の床材１は、木質基材１０の上に、電磁吸着部２０が積層されている。
以下、詳細に説明する。
【００１０】
この床材１は、図２（ｂ）に示すように平面視で略正方形（たとえば、３０３ｍｍ×３０３ｍｍ）の板材で、その厚みは１０．５ｍｍ〜１３．０ｍｍ程度としてもよい。
床材１の下層に配される木質基材１０は、５．５ｍｍ〜７．０ｍｍ程度の板厚とされ、その材料としては、合板、ＭＤＦ、パーティクルボードなど、種々の木質材料を用いることができる。
木質基材１０の側端部には、図１（ａ）に示すように、一方の側端部に凹溝状の雌実部１１を有し、他方の側端部に突条状の雄実部１２を有している。これらの雌雄実部１１，１２は床下地（不図示）上で隣設される床材１と実結合する。
なお、床材１同士の結合構造は図例に限定されず、あいじゃくり構造等であってもよい。
【００１１】
木質基材１０の上に配される電磁吸着部２０は、正負両極を有し、正もしくは負のいずれかに帯電した塵埃や花粉等の浮遊物２を吸着できる板状体であればよく、その厚みは３．５ｍｍ〜４．５ｍｍ程度とされる。電磁吸着部２０の構造は特に限定されず、米国特許第６７９１８１７号明細書に開示されているような装置を用いてもよい。例えば電磁吸着部２０としては、板状からなり導電性の正極及び負極の電極対（不図示）と、その表裏に薄板状の絶縁カバー体とを備え、電極対のそれぞれは離間した状態に設けられたものとしてもよい。これによれば、電磁吸着部２０を起動させれば、正極側には、負に帯電した浮遊物２が吸着され、負極側には、正に帯電した浮遊物２が吸着されることになり、浮遊物２が正負どちらに帯電しても、浮遊物２を吸着することができる。
【００１２】
一枚の床材１に組み込まれる正負の電極対の配置構造も特に限定されない。一定の間隔を空けて正負が互い違いになるように配置してもよいし、直線状に配置して床材１として敷設された際に一方に正極、他方に負極が配列されるようにしてもよい。
電磁吸着部２０は、制御部（不図示）を備え、制御部は、別途設けられたスイッチ部３（図２（ａ）参照）の操作で電磁吸着部２０のオンオフを切り替える切替部を有したものとしてもよい。
スイッチ部３を図２（ａ）に示すように玄関の壁面に設ければ、浮遊物２の吸着機能が必要なときのみオンにし、掃除や不在になる際にはオフしておく等、電磁吸着部２０のオンオフを容易な操作でコントロールすることができる。
【００１３】
表面材３０は、電磁吸着部２０による浮遊物２の吸着を阻害しないものであればよく、例えばウッドプラスチックボード（ＷＰＢ）等が用いられ、その厚みは１．５ｍｍ前後とされる。表面材３０として床材の表面材としてよく用いられるウッドプラスチックボード等とすれば、図２（ａ）に示すように電磁吸着部２０を有していない他の床材との統一を図ることができ、意匠性を確保することができる。
【００１４】
表面材３０の表面形状は特に限定されないが、例えば図２（ａ）及び（ｂ）に示すように格子状に溝１ａ，１ａ・・・が形成されたタイル型としてもよい。表面材３０に形成される溝１ａは、図１（ａ）に示すように断面視においてＶ字状の目地溝とされ、表面材３０の端部は隣合う床材１と結合された際にＶ字状になるように傾斜面とした面取部１ｂとされている。この溝１ａの部位は、表面材３０の厚みが他の部位より薄状となり電磁吸着部２０に近くなるため、図１（ａ）に示すように浮遊物２を吸着しやすい部位となる。また床材１，１同士の接合部分となる床材１の側面（端面）も電磁吸着部２０が露出しているため、浮遊物２を吸着しやすい部位となる。
なお、表面材３０の表面は、電磁吸着部２０による浮遊物２の吸着を阻害しなければ、傷防止等のシートを貼着するようにしてもよい。また表面材３０の表面形状は図例のように溝１ａや面取部１ｂを形成する例に限定されず、例えば電磁吸着部２０の吸着力を発揮させるために表面材３０に薄肉部分を形成するようにしてもよい。
【００１５】
次に床材１の変形例について図１（ｂ）を参照しながら、説明する。
図１（ｂ）に示す床材１Ａは、上述した床材１の変形例を示している。ここで、共通する箇所には共通の符号を付し、共通する点の詳細な説明は割愛する。
床材１Ａは、電磁吸着部２０の一部が、床材１Ａの表面材３０から露出するように設けられている点で上述した床材１と異なるものである。ここでは、電磁吸着部２０の一部が表面材３０から露出するように、電磁吸着部２０にも、断面視においてＶ字形状の溝２０ａや面取部２０ｂが形成されている。溝２０ａは溝１ａに、面取部２０ｂは面取部１ｂに連なるように形成されている。これにより、溝１ａ，２０ａの深さ、面取部１ｂ，２０ｂの傾斜面積が増え、電磁吸着部２０の露出部分の面積を増加させることができる。よって、浮遊物２の吸着力を向上させることができる。またこの場合、表面材３０の表面と溝１ａ，２０ａ及び面取部１ｂ，２０ｂを比べると、表面より溝１ａ，２０ａ及び面取部１ｂ，２０ｂの方が浮遊物２の吸着力が強くなるので、表面に浮遊物２が溜まりにくくなり、床材１の表面を清潔に保つことができる。
なお、電磁吸着部２０の一部が、表面材３０から露出する構造は、図例に限定されない。例えば、表面材３０に貫通孔やスリットを形成して電磁吸着部２０を露出させてもよい。
【００１６】
次に図２（ａ）を参照しながら、床材１の適用例について説明する。
上述の床材１（１Ａ）は、床全面に施工してもよいが、例えば人の出入りが多い玄関の一部に敷設してもよい。図２（ａ）は、玄関４の上がり框５の奥側の室内空間６に「吸着領域６０」を設け、そこに床材１を敷設した例を示している。室内空間６の壁面には、床材１と電気的に接続されており、電磁吸着部２０のオンオフを切替えるスイッチ部３が設けられている。
【００１７】
以上によれば、電磁吸着部２０は正負両極を有しているので、浮遊物２が正負どちらに帯電しても、浮遊物２を床材１（吸着領域６０）で吸着することができ、人の出入りが多い玄関で舞い上がる塵埃等を床材１へ吸着することができる。また外出時に衣類等に付着した花粉等を床材１で吸着することができ、室内空間６へ花粉等を持ち込んでしまうことを軽減する効果が期待できる。
なお、玄関４の構成は図例に限定されるものではなく、例えば上がり框５のない平坦な玄関にも適用可能である。また床材１の適用場所も玄関に限定されず、例えば衣類等を収納するクローゼット付近としてもよい。
【００１８】
以上、床材１（１Ａ）の構成、構造は図例に限定されるものではない。例えば床材１（１Ａ）は３層構造としているがこれに限定されない。床材１（１Ａ）の形状も正方形に限定されず長方形であってもよいし、溝１ａ，２０ａや面取部１ｂ，２０ｂの形状も図例に限定されず、例えば湾曲形状であってもよい。
【符号の説明】
【００１９】
１          床材
１ａ        溝
２０        電磁吸着部
３０        表面材  
２          浮遊物
３          スイッチ部  
【図１】
2016130394.tif 000003
【図２】
2016130394.tif 000004